(57)【要約】【課題】祈願後御焚き上げを依頼したり、近隣の神社に納めたり等の手数がかからず、神に祈り安らぎを求める心情を満たし、人々に安堵感を与える食品を提供することである。【解決手段】祈願文をしたためる広さの面を設けた該食品主体と該食品主体に文字又は絵又は線等を表すことが可能で且つ食品として食しても害を生ずることのない食物から成る表示用食品から成る。【選択図】    図１
2004321755.tif 000002
【特許請求の範囲】
【請求項１】
該食品主体の一部に祈願を込める手段を備えた面を設け、前記祈願後は、該食品主体を食品として食に供することができることを特徴とする祈願食品。
【請求項２】
該食品主体の面に文字又は、絵又は、線等を表すことが可能で且つ、食しても害の生ずることのない食物から成る表示用食品となる請求項１記載の祈願食品。
【発明の詳細な説明】
【０００１】
【発明の属する技術分野】
この発明は、絵馬的な意味合いを持って願望成就の期待を込めて食し、人々に心の安らぎを与えようとるする食品に関する物である。
【０００２】
【従来の技術】
従来、人間は何らかの願望の成就（例えば各種試験の合格等）を神仏にお参りし、祈願又は祈祷して御利益を期待し、お札や、お守り、又は、絵馬等にささやかな期待を込め、ささやかな安心感と、ささやかな安堵感を抱きつつ、緊張するその場面に望でいるのが庶民の実情で、安産祈願の腹帯、交通安全のお守り、学業成就の絵馬等が実用に供されている。
【０００３】
【発明が解決しようとする課題】
上記従来技術に依れば、お札又は、お守り又は、絵馬又は、腹帯等は、古来から用いられてきた物で、使用後は御焚き上げをして貰うか、又は近隣の神社等に納める等の手数がかかる等の問題がある。
そこで、本発明が解決しようとする課題は、使用後御焚き上げを依頼したり、近隣の神社へ納めたり等の手数がかからず、神に祈り安らぎを求める心情を満たし、人々に安堵感を与える食品を提供することである。
【０００４】
【課題を解決するための手段】
本発明に依れば、該食品主体に祈願を込める手段を備えた面を設け、前記祈願後は該食品主体を食品として食に供することである。
【０００５】
尚、ここに言う、該食品主体に祈願を込める手段を備えたとは、祈願文又は絵等を大衆が自ら記載するか、又は予め大衆の願望を文字又は絵柄によって表しておくことである。
【０００６】
又、請求項２に於いては、該食品主体の面に文字又は、絵又は、線等を表すことが可能で且つ、食しても害を生ずることのない食物から成る、表示用食品である。
【０００７】
【発明の実施の形態】
多角形、又は円形、又は楕円形等の形状の煎餅、焼き菓子、落雁等の食品主体１の少なくとも片側の面に文字又は絵又は線等が記載できる程度の平坦な面２を設けてある。
この時、食品主体１は文字又は絵又は線等を記載するに充分な強度を有する厚み３であることが望ましい。
【０００８】
又、本発明の祈願食品を販売又は配布する前に、神社又は寺院等に於いてお祓いし、願望の祈願、又は祈祷を予め済ませた後、販売又は配布することが望ましいが、或いは、販売又は配布を受けてから、食品主体１の面２に願望を記載し祈願又は祈祷を受けることも可能である。
さらに、販売又は配布前に面２に予め大衆の願望を印刷、又は押印、又は薄く伸ばした食品等で形成する文字、又は絵柄等を載置する等の方法によって記載し、祈願又は祈祷を済ませることも可能である。
【０００９】
更に、食品主体１の面２に文字又は絵又は線等を記載する記載食品によって、面２に祈願文又は、絵又は、線又はこれらを複合した記載が容易に且つ楽しく記載できる物質であって、食して美味しい食品によって形成することが望ましい。
【００１０】
【実施例】
以下、実施例について図面に基づいて説明すると、従来の絵馬に似た形状に食品主体１を形成（図１）してあるが、これはほんの一例で、例えば多角形又は、円形又は、楕円形等に形成することも可能で、記載用食品１１を用いて願い事等を記載する面２を構成してある。
この時、食品主体１は煎餅、又は落雁、又はあられ、又はオコシ等、ある程度の硬さに形成される菓子その他の食品で、面２への記載時に食品主体１の破損を避ける必要上、食品主体１は、ある程度の強度を保たせる厚み３が必要である。
【００１１】
又、面２に大衆の願望、例えば、家内安全、商売繁盛、学業成就、病気平癒、無病息災、健康長寿、良縁成就、恋愛成就、願望成就、安産、その他を印刷、又は焼き印又は凹凸等による押印、書き文字、切り文字、切り絵、その他によって予め記して、祈願又は祈祷を済ませた後、販売又は配布（以下頒布という）することも可能であり、更には、これら記した願望の他に、頒布を受けた大衆が自らの思いを記載食品１１によって詳記することも可能である。
【００１２】
この時、筆記具に当たる記載食品１１として、棒状形成したチョコレートを用いることも可能で、面２に附着しやすく形成することが望ましく、水分、又は水で希釈したアルコール、又は水飴、又は蜂蜜等を適宜混入することも可能で、記載使用時、記載食品１１が手指に附着することを防止する手段として、先１２を残して、軸１３にアルミ箔、又は合成樹脂フィルム、又は紙等の巻着材１４を巻着しても良い（図２）。
【００１３】
更に、記載食品１１のみを一括して神前又は仏前に供え、大衆の願望を記載する記載具として祈願又は祈祷を行い、記載食品１１のみを頒布することも可能であることは言うまでもないが、例えば、一例として煎餅、又はあられ、又は落雁等から成る食品主体１と記載食品１１を共に包装し、神社又は寺院等で祈願又は祈祷を受けた後、頒布し受け取った人々は、自己の願望を食品主体１の面２に、記載食品１１を用いて記載し、拝して後、食する。
【００１４】
人間は、古代から現代にいたるまで祈り続けてきたが、現代のように科学が進歩した時代であっても、神に祈る、頼むという考え方は人間の心中深く蔵されており、この現れとして、現在も尚、世界中、大、中、小幾多の宗教が実存し、多くの人々が帰依しているに見て明らかである。
従って、信ずる者は救われる、の例えが有るように、人は様々な形での願望を抱き、常に願望成就を願わぬ者はない。
その例として、家内安全、商売繁盛、合格祈願、その他、健康、良縁、学業成就、交通安全、等々数え上げればきりがなく、人は、神仏に祈ることで心の安らぎを求め、安心を得ている。
【００１５】
人間が神仏に、自分の願望を伝えようとするとき、手を合わせ、目を閉じて心に念ずる姿に、祈願食品を美味しく食することによって、願望は体内に入り宿ると言う心境が伴って心に大きな安らぎを感じさせ、更に、忙しい生活に追われる現代人にとって、改めて寺社に奉納に参る手数や時間を省き、御焚き上げ等の手間も省け、特に、絵馬の場合のように、願望を他者の面前にさらし恥ずかしい思いをすることもなく、全ての願望を我が身中に納めることで、心の中に安心感と自信の捻が湧き備わり、緊張の場に臨んでも落ち着いて対処できるもので、極めて有効な祈願食品を提供できる。
【００１６】
図３は、第２実施例の記載食品を示す斜視図で、ある程度柔軟な合成樹脂等を用いて中空状の容器１５を形成し、容器１５の一端１７を細く形成すると共に、容器１５内に、略ゲル状の食品、例えば、チョコレート、又はジャム、又はケチャップ、又はマヨネーズ、又はゼリー、又は生クリーム、又はカスタードクリーム、又は羊羹、又は寒天食品、又は味噌を用いた食品、又はゼラチンを用いた食品その他の食品を充填しても良く、切取線１６から一端１７を切り取ることによって、容器１５は開封される。
【００１６】
従って、容器１５の開封された口部を介して、略ゲル状の食品を押し出しながら食品主体１の面２に祈願文、又は絵等を記載することも可能で、略ゲル状の食品の味が食品主体１の味を引き立てるように構成すると、尚好ましい。
この場合、図示しないが、切取線１６を設けて一端１７を切除する替わりに、一端１７に挿抜自在のキャップを設け、このキャップを抜き取ることにより、絞り出し口が構成されて略ゲル状の食品を絞り出すこともでき、図２の記載食品と同様の作用及び効果がある。
【００１７】
図４は、第３実施例を示す斜視図で、煎餅又は、あられ又は、落雁等から成る食品主体１の上縁部に突状４を設けることもでき、この時、突状４の高さは面２に祈願文、或いは絵等を記載した後重ね合わせても、記載面と食品主体１の裏面が接触することのない高さ６を設けてあり、第１実施例と同様の作用及び効果を得ることができる。
【００１８】
図５は第４実施例を示す斜視図で、大福餅に依って形成された食品主体１に扁平で滑らかな記載面２を形成して、祈願食品を形成することも可能で、大福という古来からの名称に、大きな福を引っかけて解釈する傾向が一般社会にあり、これを活用することも可能で、餅菓子を用いて大福を形成することもでき、本実施例に於いても、第１実施例と同様の作用及び効果を得ることができる。
【００１９】
図６は第５実施例を示す一部切り欠きの斜視図で、平坦な蒸し食品、例えば饅頭又は蒸しパン等を用いて食品主体１を形成し、この食品主体１の表面をある程度平坦な記載面２を形成することも可能で、又、食品主体１を製造する段階に於いて、祈願文又は絵又はこれらの組み合わせた記載物の部分の皮９を薄く形成し（図示しない）、内部の餡等異なる色を用いて製造段階より表示することも可能で、例えば、家内安全、商売繁盛、無病息災、一家繁栄、安産、祈願成就等一般的願望を設けてもよく、他の実施例と同様の作用及び効果を得ることができる。
【００２０】
図７は第６実施例を示す斜視図で、絵馬形の容器内にゲル状又は冷やすことによって固形化する食品、例えば、寒天を使用した食品、又はゼラチンを使用した食品、又は乳製品を使用した食品等を注入して食品主体１を形成することも可能で、図７は、本実施例のほんの一例でこの他、図示しないが、ゲル状食品又は冷やすと固形化する食品が、固形化した後の食品主体１を容器１０から取り出して用いてもよいことは無論で、他の実施例と同様の作用及び効果を得ることができる。
【００２１】
図８は第７実施例を示す斜視図で、カステラ、又はパン、又はケーキ等の焼き菓子に依って、食品主体１を形成し、表面に平坦な面２を形成することも可能で、必要に応じ、基板７に載置することも可能であり、他の実施例と同様の作用及び効果を得ることができる。
【００２２】
図９は第８実施例を示す斜視図で、基板７上に食品主体１を設け食品主体１の面を形成することも可能で、この場合の食品主体１は練り製品等でも良く、例えば蒲鉾等でも良く、基板は食品主体１を剥離して食した後、基板７はミニまな板として使用できる程度の大きさに形成することも可能で、一例を述べれば、基板７の一部に、多角形のスペース８を設け、スペース８に例えば神社、又は寺院の名前を記載することもでき、又は祈願文、例えば、家内安全、又は商売繁盛、又は学業成就その他の祈願文、又は絵等を記載することも可能であり、更には、宣伝媒体として用いるかとも可能で、基板７を広い意味での利用が可能となり、その分、廃棄物を削減することができる他、他の実施例と同様の作用及び効果を得ることができる。
【００２３】
【発明の効果】
従って、本発明に依れば大衆に神に祈り安らぎを求める心を満たす心の安らぐ食品を提供し、使用後のお焚き上げを依頼する必要は全くなくなり、近隣の神社に納めたり、ゴミになる等の問題は完全に解消される。
更に、食することにより体内に取り込んで一体感のある祈願対象物を提供することができる。
【図面の簡単な説明】
【図１】本発明の第１実施例を示す斜視図である。
【図２】本発明の第１実施例の記載食品を示す斜視図である。
【図３】本発明の第２実施例の記載食品を示す斜視図である。
【図４】本発明の第３実施例を示す斜視図である。
【図５】本発明の第４実施例を示す斜視図である。
【図６】本発明の第５実施例を示す一部切り欠きの斜視図である。
【図７】本発明の第６実施例を示す斜視図である。
【図８】本発明の第７実施例を示す斜視図である。
【図９】本発明の第８実施例を示す斜視図である。
【符号の説明】
１  食品主体
２  面
３  厚み
４  突状
５  段差
６  厚み
７  基板
８  スペース
９  皮
１０  容易
１１  記載食品
１２  先
１３  軸
１４  巻着材
１５  容器
１６  切取線
１７  一端
【図１】
2004321755.tif 000003
【図２】
2004321755.tif 000004
【図３】
2004321755.tif 000005
【図４】
2004321755.tif 000006
【図５】
2004321755.tif 000007
【図６】
2004321755.tif 000008
【図７】
2004321755.tif 000009
【図８】
2004321755.tif 000010
【図９】
2004321755.tif 000011